(57)【要約】【課題】先幕、後幕及びこれらの走行を開始制御する一対の電磁石を有した簡易な構造のフォーカルプレーンシャッタを有した撮像装置において、シャッタレリーズボタン押し下げから先幕走行開始までのレリーズタイムラグを抑えた撮像装置を提供する。【解決手段】  チャージレバーにより先幕、後幕をチャージした直後には一対の電磁石への通電を開始し、かつチャージレバーを即座にチャージ完了位置より退避させ、一対の電磁石への通電を維持し続ける。【選択図】  図２
2014048351.tif 000002
【特許請求の範囲】
【請求項１】
フォーカルプレーンシャッタを有する撮像装置において、
上記フォーカルプレーンシャッタが有する露光用の開口と、
上記開口を閉じた状態から上記開口を開放するため上記開口中を走行する先幕と、
上記開口から退避した状態から上記開口を閉じるため走行する後幕と、
上記先幕と共に移動する先幕アーマチャと、
上記後幕と共に移動する後幕アーマチャと、
上記先幕アーマチャを上記先幕の走行開始位置で保持するため、上記先幕アーマチャを電磁的に吸着する先幕電磁石と、
上記後幕アーマチャを上記後幕の走行開始位置で保持するため、上記後幕アーマチャを電磁的に吸着する後幕電磁石と、
上記先幕に上記走行させるための付勢力を上記先幕に与えるための先幕ばねと、
上記後幕に上記走行させるための付勢力を上記先幕に与えるための後幕ばねと、
上記先幕ばねと上記後幕ばねとを蓄勢するための回転駆動源と、
上記先幕ばねに上記先幕を走行させるための上記付勢力を蓄勢させるため上記先幕ばねが掛けられた先幕蓄勢部材（シャタ腕、被押圧部材）と、
上記後幕ばねに上記後幕を走行させるための上記付勢力を蓄勢させるため上記後幕ばねが掛けられた後幕蓄勢部材（シャタ腕、被押圧部材）と、
上記先幕ばねと上記後幕ばねそれぞれに上記付勢力を蓄勢させるための押圧部材であって、上記駆動源により駆動され上記２つの蓄勢用部材を押圧している押圧状態位置と上記２つの蓄勢用部材を押圧していない非押圧状態位置とに移動する押圧部材（カム、蓄勢板）と、
上記撮影開始のための信号を出力するためのレリーズ信号出力手段と、
上記レリーズ信号出力手段からの出力前の撮影準備状態においては上記押圧部材を上記押圧状態位置から上記非押圧状態位置に移動させておき、かつ、上記先幕電磁石と上記後幕電磁石とに電流を供給し、先幕アーマチャと後幕アーマチャを上記先幕電磁石と上記後幕電磁石に吸着させて上記先幕と上記後幕とを上記走行開始準備位置に維持させたまま、上記レリーズ信号出力手段からの出力を受けて上記先幕電磁石への電流供給を絶ち、所定の計時後上記後幕電磁石への電流供給を絶つように制御する制御手段と、
を具備したことを特徴としたフォーカルプレーンシャッタを有する撮像装置。
【発明の詳細な説明】
【技術分野】
【０００１】
本発明はシャッタ装置を有する撮像機器、詳しくは、銀塩フィルム、撮像素子などの撮像媒体に対し必要量の光を照射制御させるシャッタ装置を有する撮像機器に関するものである。
【背景技術】
【０００２】
従来、フォーカルプレーンシャッタにおいてはその機構を簡素化するため、複数の小片幕からなる先羽根、複数の小片幕からなる後羽根、及びこれらをそれぞれ開閉制御する２つの電磁石を有したシャッタ装置が提供されている。例えば、特開２００６−９８９０９には、上記構成に加え、先羽根がシャッタ地板に設けられた露光窓中を走行するための先羽根駆動バネと、後羽根がシャッタ地板に設けられた露光窓中を走行するための後羽根駆動バネと、これら２つのバネを蓄勢するチャージレバーと、を具備している。そして、撮影開始前にチャージレバーにより先羽根、後羽根をチャージ状態とし、そのまま先羽根、後羽根を保持し、レリーズ後、制御用マグネットで通電吸着させて先羽根、後羽根それぞれをマグネット通電して走行前の準備の保持状態として、チャージレバーの先羽根、後羽根保持をチャージレバー退避によって解除し、２つのマグネットへの通電を順次、断ち先羽根、後羽根を順次走行させ撮像のための必要秒時を得ることが記載がされている。
【先行技術文献】
【特許文献】
【０００３】
【特許文献１】特開２００６−９８９０９
【発明の概要】
【発明が解決しようとする課題】
【０００４】
ところが上記特開２００６−９８９０９は、上述のように撮像装置に対しシャッタのレリーズ操作を行っても、チャージレバーを被チャージ部材に当接したままではシャッタが走行不可能な状態のままとなってしまうので、シャッタが走行を開始するまでにチャージモータを駆動してチャージレバーを被チャージ部材から退避させるという過程が必要となってしまう。その結果、シャッタが走行を開始するまで数十ｍｓｅｃから数百ｍｓｅｃという時間を要してしまいシャッタの先幕用の制御用マグネットの電流がｏｆｆされるまでのレリーズタイムラグt lag'  を引き起こしてしまう。（図８参照）。
【０００５】
本発明は上述した点に鑑み、その目的とするところは簡易なシャッタ装置でありながらレリーズタイムラグを抑えたシャッタ装置を有する撮像機器を提供することである。
【課題を解決するための手段】
【０００６】
上記目的を達成するために、本発明によるフォーカルプレーンシャッタを有する撮像装置において、上記フォーカルプレーンシャッタが有する露光用の開口と、上記開口を閉じた状態から上記開口を開放するため上記開口中を走行する先幕と、上記開口から退避した状態から上記開口を閉じるため走行する後幕と、上記先幕と共に移動する先幕アーマチャと、上記後幕と共に移動する後幕アーマチャと、上記先幕アーマチャを上記先幕の走行開始位置で保持するため、上記先幕アーマチャを電磁的に吸着する先幕電磁石と、上記後幕アーマチャを上記後幕の走行開始位置で保持するため、上記後幕アーマチャを電磁的に吸着する後幕電磁石と、上記先幕に上記走行させるための付勢力を上記先幕に与えるための先幕ばねと、上記後幕に上記走行させるための付勢力を上記先幕に与えるための後幕ばねと、上記先幕ばねと上記後幕ばねとを蓄勢するための回転駆動源と、上記先幕ばねに上記先幕を走行させるための上記付勢力を蓄勢させるため上記先幕ばねが掛けられた先幕蓄勢部材（シャタ腕、被押圧部材）と、上記後幕ばねに上記後幕を走行させるための上記付勢力を蓄勢させるため上記後幕ばねが掛けられた後幕蓄勢部材（シャタ腕、被押圧部材）と、上記先幕ばねと上記後幕ばねそれぞれに上記付勢力を蓄勢させるための押圧部材であって、上記駆動源により駆動され上記２つの蓄勢用部材を押圧している押圧状態位置と上記２つの蓄勢用部材を押圧していない非押圧状態位置とに移動する押圧部材（カム、蓄勢板）と、上記撮影開始のための信号を出力するためのレリーズ信号出力手段と、上記レリーズ信号出力手段からの出力前の撮影準備状態においては上記押圧部材を上記押圧状態位置から上記非押圧状態位置に移動させておき、かつ、上記先幕電磁石と上記後幕電磁石とに電流を供給し、先幕アーマチャと後幕アーマチャを上記先幕電磁石と上記後幕電磁石に吸着させて上記先幕と上記後幕とを上記走行開始準備位置に維持させたまま、上記レリーズ信号出力手段からの出力を受けて上記先幕電磁石への電流供給を絶ち、所定の計時後上記後幕電磁石への電流供給を絶つように制御する制御手段と、を具備したことを特徴とする。
【発明の効果】
【０００７】
本発明によれば、簡易なシャッタ装置でありながらレリーズタイムラグを抑えたシャッタ装置を有する撮像機器を提供することができる。
【図面の簡単な説明】
【０００８】
【図１】本発明のシャッタ装置のシャッタ機構においてシャタチャージ状態を示す図である。
【図２】本発明のシャッタ装置のシャッタ機構において撮影準備状態を示す図である。
【図３】本発明のシャッタ装置のシャッタ機構において先幕走行完了状態を示す図である。
【図４】本発明のシャッタ装置のシャッタ機構において先幕、後幕走行完了状態を示す図である。
【図５】本発明のシャッタ装置を有する撮像機器において概略の電気回路ブロック図を示す図である。
【図６】本発明のシャッタ装置を有する撮像機器において撮影のゼネラルフローチャートを示す図である。
【図７】本発明のシャッタ装置を有する撮像機器において発明部分を説明する動作シーケンスを説明するタイムチャート図である。
【図８】従来のシャッタ装置を有する撮像機器における動作シーケンスを説明するタイムチャート図である。
【発明を実施するための形態】
【０００９】
以下に本願発明を原理的に図示した実施形態によって説明する。
【００１０】
本発明の実施形態である機構自体は、基本的に公知、公用の技術であり、これを利用した制御に発明の主要部分がある。
【００１１】
本発明の実施形態は、写真撮影等を行なう撮像装置であるカメラ等（以下、単にカメラという）に適用されるシャッタ装置を挙げて示すものである。
【００１２】
なお、以下の説明に用いる各図面においては、各構成要素を図面上で認識可能な程度の大きさとするため、各構成要素毎に縮尺を異ならせて示している場合がある。したがって、本発明は、これらの図面に記載された構成要素の数量，構成要素の形状，構成要素の大きさの比率及び各構成要素の相対的な位置関係は、図示の形態のみに限定されるものではない。
【００１３】
図1乃至図４はシャッタ装置のシャッタ機構の動作を説明するものであり、図１はシャッタチャージ完了状態の図である。図２は図１からの遷移図であり、シャッタチャージの後、チャージ部材を被チャージ部材から退避させた撮影準備状態を説明するための図である。図３は図２からの遷移図であり先幕が走行完了した露光途中の説明をするための図である。図４は図３からの遷移図であり、露光完了状態を説明するための図である。
【００１４】
図５は実施形態の図1乃至図４で示されるシャッタ機構を制御するための電気回路ブロック図である。
【００１５】
図６は本発明のシャッタ装置の制御動作を示すゼネラルフローチャートである。
【００１６】
図７は本発明のシャッタ装置のシーケンス動作を示すタイムチャートである。
【００１７】
図８は従来のシャッタ装置における動作シーケンスを説明するタイムチャートである。
【００１８】
図１乃至図４において、シャッタ機構１を示す。本シャッタ装置を支持する地板１ａ（不図示）には、光を撮像媒体（撮像素子２６）に露光、遮断するための開口２が設けられている。図１乃至図２において該開口２は先幕３により覆われている。同じく図１乃至図３において後幕４が開口２の有る位置から退避している。
【００１９】
なお、本説明では先幕、後幕をそれぞれ一枚の幕により簡単に説明するが、実際は公知、公用の複数の小片の幕が束ねられた幕群からなっている。
【００２０】
以下にシャッタ機構１の概略の構成を説明する。
【００２１】
先幕３の四隅の１つには先幕第１駆動腕３ａの一端が軸３ｃ（揺動軸）で相対回転可能に軸支されている。また同様に先幕３の四隅の他の１つには先幕第２駆動腕３ｅの一端が軸３ｇ（揺動軸）で相対回転可能に軸支されている。更に先幕第１駆動腕３ａの他端が軸３ｂで相対回転可能に地板１ａ（不図示）に軸支されている。同様に、先幕第２駆動腕３ｅの他端が軸３ｆ（揺動軸）で相対回転可能に地板１ａに軸支されている。従って一対の腕部材と幕部材により平行リンク機構を構成し、先幕３自身は回転を行うことなく図の紙面と平行に移動可能となっていて、開口２を開閉する。
【００２２】
そして、先幕第１駆動腕３ａには電磁石に吸着可能な先幕アーマチャ３ｄが設けられている。先幕３が開口２を閉じている状態では先幕第１駆動腕３ａのアーマチャ３ｄは、地板１ａに設けられた電磁石５としてのヨーク５ａの当接吸着面に当接する。また、ヨーク５ａにはコイルが巻回されていて、これに電流が流れればヨーク５ａの当接吸着面に先幕アーマチャ３ｄが吸着する。更に先幕第１駆動腕３ａには、軸３ｂ（揺動軸）の周りに設けられたトーションばねである先幕走行用ばね７が掛けられ、先幕第１駆動腕３ａを常に時計回転方向に付勢している。
【００２３】
先幕第１駆動腕３ａは、後述するように先幕３が開口を開けるように走行するため先幕走行用ばね７をチャージ（蓄勢）する先幕蓄勢用部材として機能する。
【００２４】
後幕４の四隅の１つには後幕第１駆動腕４ａの一端が軸４ｃ（揺動軸）で相対回転可能に軸支されている。また同様に後幕４の四隅の１つには後幕第２駆動腕４ｅの一端が軸４ｇ（揺動軸）で相対回転可能に軸支されている。更に後幕第１駆動腕４ａの他端が軸４ｂで相対回転可能に地板１ａに軸支されている。同様に、後幕第２駆動腕４ｅの他端が軸４ｆ（揺動軸）で相対回転可能に地板１ａに軸支されている。従って一対の腕部材と幕部材により平行リンク機構を構成し、後幕４自身は回転を行うことなく図中紙面と平行に移動可能となっていて、開口２を開閉する。
【００２５】
そして、後幕第１駆動腕４ａには電磁石に吸着可能な後幕アーマチャ４ｄが設けられている。後幕４が開口２を閉じている状態では後幕第１駆動腕４ａのアーマチャ４ｄは、地板に設けられた電磁石６としてのヨーク６ａの当接吸着面に当接する。また、ヨーク６ａにはコイルが巻回されていて、これに電流が流れればヨーク６ａの当接吸着面にアーマチャ３ｄが吸着する。更に後幕第１駆動腕４ａには、軸４ｂ（揺動軸）の周りに設けられたトーションばねである後幕走行用ばね８が掛けられ、後幕第１駆動腕４ａを常に時計回転方向に付勢している。
【００２６】
後幕第１駆動腕４ａは、後述するように後幕４が開口を閉じるように走行するため後幕走行用ばね８をチャージ（蓄勢）する後幕蓄勢用部材として機能する。
【００２７】
シャッタ機構１は、さらに先幕、後幕を走行準備状態すなわちシャッタチャージ完了状態とするためのチャージ手段を有する。チャージ手段は先幕走行用ばね７と後幕走行用ばね８をチャージ（蓄勢、付勢）するため、チャージ部材としての押圧部材９を有する。本実施形態では、押圧部材９が、先幕第２駆動腕３ｅの他端の軸３ｆ近傍に設けられた被チャージ部である先幕被駆動片部３ｈと、後幕第２駆動腕４ｅの他端の軸４ｆ近傍に設けられた被チャージ部である後幕被駆動片部４ｈとを押圧し、シャッタをチャージする。
【００２８】
押圧部材９には、先幕被駆動片部３ｈと後幕被駆動片部４ｈを押圧して、先幕走行用ばね７と後幕走行用ばね８をチャージするための突形状の先幕チャージ用押圧部９ａと突形状の後幕チャージ用押圧部９ｂが設けられている。押圧部材９には、先幕チャージ用押圧部９ａを先幕被駆動片部３ｈに、後幕チャージ用押圧部９ｂを後幕被駆動片部４ｈに当接するようにガイドするための直進状のガイド溝９ｃが設けられている。ガイド溝９ｃは地板１ａに設けられたガイドピン１０が嵌入しておりガイド溝とガイドピンは摺動して押圧部材は地板に対し相対移動可能となっている。
【００２９】
押圧部材９には、後述するカム部材１２に向かって押圧部材９を付勢するカム当接用ばね１１が設けられている。押圧部材９には被押圧面９ｄが設けられ、カム当接用ばね１１の付勢作用によってカム部材１２のカム面１２ａが当接している。
【００３０】
カム部材１２は地板に設けられた回転軸１２ｂ（カム回転軸）を中心に回転となっていて、該回転に伴ってその径方向の距離を増加、減少させるカム面１２ａが形成されている。
【００３１】
電気回路２０は図５で示すように本発明のシャッタ装置を有する撮像機器において概略の電気回路ブロック図を示す図であって、シャッタ機構１を制御する。
【００３２】
電気回路２０中のＡＳＩＣ２１はシャッタ機構１を制御するためのＩＣであり、シャッタ制御を行うための制御手段としてのプログラムが書き込まれたメモリーと、ＣＰＵとを含み、更に種々のインターフェイスを含む。このＡＳＩＣ２１には撮像素子２６からの撮像信号を受けて必要な処理を行う撮像部２６ａが電気的に接続される。
【００３３】
またレリーズスイッチ２３はＡＳＩＣ２１に接続され、レリーズ信号出力手段として機能し、特にここではシャッタを走行させるための信号をＡＳＩＣ２１に出力するためのものである。通常の一眼レフカメラ、コンパクトカメラ等では普通、レリーズ釦は２段押しスイッチが採用され１段目のスイッチのＯＮでオートフォーカス、ＡＥ演算を行い、それに引き続き２段目スイッチのＯＮにてシャッタを走行させる。本実施形態では１段目スイッチ、２段目スイッチの機能を１つのスイッチとする。
【００３４】
ＡＳＩＣ２１には、電源スイッチ２２と先幕電磁石コイル５ｂと接続されたコイルドライバ５ｂｂと、後幕電磁石コイル６ｂと接続されたコイルドライバ６ｂｂとが電気的に接続され、更にＡＳＩＣ２１には、カム部材１２を回転駆動するための回転駆動源としてのチャージモータ２４と接続されたモータドライバ２４ａが電気的に接続されている。
【００３５】
更に、カム部材１２の回転位置を検出するため、すなわちシャッタのチャージ状態を検出するためのカム位置エンコーダ２５（図1乃至図４には不図示）がＡＳＩＣ２１に電気的に接続されている。
【００３６】
以上のように、シャッタ機構１と電気回路２０とで構成された本発明のシャッタ装置の動作を図６で示すゼネラルフローチャートと図７で示すタイムチャートとで説明する。
【００３７】
本シャッタ装置を搭載した撮像機器であるカメラの電源をＯＮすると図６のステップＳ０１で示すようにカメラに搭載された電気回路が初期化を行う。
【００３８】
次にステップＳ０２において、カメラが撮影可能モードが選択されているかどうかをモニタし、撮影可能モードが選択されていれば次のステップＳ０３に進む。撮影可能モードが選択されていなければ不図示のフローに進む。この不図示のフローは例えば記録されている画像の再生を行う再生モード等などであり、そこに進む。本説明では発明と関係がないのでその説明は省略する。撮影可能モードとは種々の撮影モードであり、例えば公知のプロフラムモード、マクロモード、夜景モード、ポートレイトモード等々である。
【００３９】
ステップＳ０２の時点ではシャッタ機構は図１の状態であり、シャッタ走行用の先幕走行用ばね７、後幕走行用ばね８はチャージ（蓄勢）された状態となっている。その後、ステップＳ０３、Ｓ０４先幕電磁石５と後幕電磁石６とをＯＮ（図７中のＴ０）にする。すなわち先幕第１駆動腕３ａに設けられているアーマチャ３ｄをヨーク５ａが吸い付け、後幕第１駆動腕４ａに設けられているアーマチャ４ｄをヨーク６ａが吸い付けている。
【００４０】
この状態からステップＳ０５でシャッタチャージが完了状態であるかどうかを確認する。シャッタチャージが完了状態であればステップＳ０６に進み、シャッタチャージが未完了状態であればステップＳ１６に進む。本説明でのカメラでは電源スイッチ２２による電源がＯＦＦされたときにはシャッタがチャージされた状態（完了状態）で保持されていると設定する。従って通常はステップＳ０５から直ぐにステップＳ０６に入る。
【００４１】
この時点では図１に示すようにチャージ部材である押圧部材９がカム部材１２によって下方に位置し、先幕チャージ用押圧部９ａが先幕被駆動片部３ｈに当接、押圧状態であり、後幕チャージ用押圧部９ｂが後幕被駆動片部４ｈに当接、押圧状態であるチャージ完了状態にある。このままでは、先幕、後幕ともに先幕被駆動片部３ｈ、後幕被駆動片部４ｈが邪魔になり走行することが出来ない。従って、押圧部材９の先幕チャージ用押圧部９ａを先幕被駆動片部３ｈの移動軌跡外へと退避させ、及び押圧部材９の後幕チャージ用押圧部９ｂを後幕被駆動片部４ｈの移動軌跡外へと退避させなければならない。そのためステップＳ０６において押圧部材９が被押圧部（被チャージ部）である先幕被駆動片部３ｈ、後幕被駆動片部４ｈと当接していると判断したならばステップＳ０７に移る。
【００４２】
ステップＳ０６において、押圧部材９が被押圧部（被チャージ部）である先幕被駆動片部３ｈ、後幕被駆動片部４ｈと当接していない、すなわち押圧部材９が被押圧部（被チャージ部）の移動軌跡外に退避していると判断したならステップＳ０８に移る。
【００４３】
ステップＳ０７では、被チャージ部である先幕被駆動片部３ｈ及び後幕被駆動片部４ｈの回動移動軌跡から押圧部材９の先幕チャージ用押圧部９ａ、後幕チャージ用押圧部９ｂが退避するように、チャージモータ２４にモータドライバ２４ａから電力を供給し、カム部材１２を図１中の矢印Ａで示す時計方向に回転させ、カム当接用ばね１１の付勢力を受けた押圧部材９を図１中の矢印Ｂの上方へカム面１２ａの作用で移動させる。押圧部材９が先幕被駆動片部３ｈ及び後幕被駆動片部４ｈの回動移動軌跡から退避したとカム位置エンコーダ２５により判断されたらステップＳ０８に移行する。この時点で、シャッタ機構は図２の状態に移行する。
【００４４】
ステップＳ０８では、レリーズ信号が出力されたかどうかをモニターする。これはカメラのレリーズ釦が押し下げられたかどうかをみていることになる。レリーズ信号が出力されない場合は後述するステップＳ１７に進む。レリーズ信号が出力されるまでステップＳ０８からステップＳ１７、Ｓ０３、Ｓ０４，Ｓ０５、Ｓ０６、Ｓ０８からなるループを繰り返す。
【００４５】
レリーズ釦が押し下げられレリーズ信号が出力されればステップＳ０９に進み、撮像素子２６からの出力に基づきＡＥ演算（自動露出演算）を行う。
【００４６】
次にステップＳ１０で先幕電磁石５のコイル５ｂに流していた電流を遮断し、磁石機能を停止する。そして、先幕アーマチャ３ｄは反時計方向にチャージされた先幕走行用ばね７が掛けられた先幕第１駆動腕３ａに設けられているので、電磁石ヨーク５ａに吸着していた先幕アーマチャ３ｄはヨーク５ａから離間する。先幕第１駆動腕３ａと共に先幕第２駆動腕３ｅも時計方向に揺動回転するので先幕３は開口２から退避して図３に示すように開口を開放する。
【００４７】
コイル５ｂへの電流遮断を開始点としてＡＥ演算の結果から得られた所定時間ｔｖであるシャッタ秒時の計時をステップＳ１２で行い、その計時が所定時間ｔｖに経過したと判断されるまでステップＳ１２の処理を繰り返す。
【００４８】
その計時が所定時間ｔｖに経過したと判断したらステップＳ１３に進み、後幕電磁石６のコイル６ｂに流していた電流を遮断し、磁石機能を停止する。その結果、電磁石ヨーク６ａに吸着していた後幕アーマチャ４ｄは、反時計方向にチャージされた後幕走行用ばね８が後幕第１駆動腕４ａに掛けられているので、ヨーク６ａから離間する。これに伴い後幕第１駆動腕４ａが時計方向に揺動回転し、後幕第１駆動腕４ａと共に後幕第２駆動腕４ｅも時計方向に揺動回転するので後幕３は退避位置から走行を開始して図４に示すように開口２を閉じる。
【００４９】
図7中のｔｖが上記所定時間を示している。この所定時間は、先幕３が走行途中に後幕４が走行を開始するように設定されることもあり、これはＡＥ演算の結果により決定される。
【００５０】
後幕が走行を開始してから後幕が走行開始から完了するまでは一定の時間が必ず必要であるので、この時間をステップＳ１４により計時する。この計時が完了した後、ステップＳ１５にて撮像素子２６により撮像された撮像データをカメラ内部の記憶装置に記録する。
【００５１】
この記録が完了したらステップＳ１６で、チャージモータ２５を駆動し、カム部材１２を図４で示す矢印Ｃの時計方向に回転させ、押圧部材９を図４で示す矢印Ｄの下方にカム当接用ばね１１の付勢力に抗して押圧変位させる。従って押圧部９ａが先幕被駆動片３ｈを、押圧部９ｂが後幕被駆動片４ｈを押圧してばね７，８をチャージし、シャッタ機構１のチャージを行い、次回のシャッタレリーズに備える。すなわち図１の状態まで移行し、次のステップＳ１７に進む。
【００５２】
ステップＳ１７ではカメラの電源がＯＦＦになっているかどうかをモニタし、まだカメラの電源がＯＮならばステップＳ０２へ戻る。通常、レリーズが行われるとシャッタの動作後、撮影者の動作より素早く、即座にシャッタのチャージが開始、終了するのでステップＳ０２へ戻るとステップＳ０２乃至Ｓ０６、そしてＳ０６からＳ０７を経て、Ｓ０８から直接にＳ１７に到る。従って押圧部材９の位置は図２の位置にあり、先幕被駆動片部３ｈ、後幕被駆動片部４ｈと当接していない、すなわち押圧部材９が被押圧部（被チャージ部）の移動軌跡外に退避している位置にある。
【００５３】
ステップＳ１７でカメラ電源がＯＦＦになっているならばステップＳ１８で、モータドライバ２４ａを介してチャージモータ２４を駆動し、図２の矢印Ｅの時計方向へカム部材１２を回転させ、押圧部材９をカム当接用ばね１１の付勢力に抗して図２中の矢印Ｆの方向に下方に位置させ、先幕被駆動片部３ｈに先幕チャ  ージ用押圧部９ａを、後幕被駆動片部４ｈに後幕チャージ用押圧部９ｂを当接させ、チャージ完了位置に設定維持させる。すなわち、図１と同じ状態となる。その後、ＡＳＩＣ２１のＣＰＵをＨＡＬＴ状態若しくはスリープ状態とする。
【００５４】
尚、カム部材１２とチャージモータ２４とは不図示の減速ギア列で繋がっているのでチャージモータ２４が回転しない限り、カム部材１２がカム当接用ばね１１の付勢力で勝手に回転はしないので押圧部材９も勝手に移動することはない。
【００５５】
尚、近年ではライブビューが可能であるカメラが提供されている。すなわち被写体をカメラ背面の表示画面で常に動画表示させ、これをファインダ代わりにカメラレリーズを待ち、レリーズ動作があるとシャッタを動作させ静止画撮影をするカメラが提供されている。この場合には、シャッタ先幕、後幕をチャージ状態に維持しながら、本来、シャッタ地板の撮影用開口を閉じているべき先幕をこの撮影用開口から退避させておく機構が設けられている。しかしこの機構をカメラが有していたとしても撮影時には先幕が開口を再び覆いシャッタの走行が開始されるので、シャッタタイムラグを無くそうとすれば本願発明を必要とするものである。
【００５６】
以上のように、本発明のシャッタ装置を有する撮像機器によれば、カメラの電源ＯＮから撮影可能モードへの選択が終了し、シャッタチャージのための押圧部材が即座にシャッタの被チャージ部材から退避が行われるのでシャッタタイムラグが極めて少ない。
またこの最初のシャッタレリーズの後でも同様にシャッタタイムラグが極めて少ない。
【００５７】
また、カメラには撮影準備状態で、つまり電源がＯＮの状態でレリーズ動作が長時間にわたって行われない場合、自動的に電源をＯＦＦする機能を有しているのが一般的であるが、その場合、カメラのフローチャート中のステップＳ１７とステップＳ０２との間にその長時間を計時するモニタ機能のステップを付加し、長時間が経過していなければステップＳ０２に移行させ、ぞの長時間が経過したと判断されたときはステップＳ１８に移行するようにすればよく、次回の撮影の電源ＯＮ以降も全く同様にカメラは使用できる。
【００５８】
なお、本発明の説明中において押圧部材９を直線運動する部材で説明したが、カム部材の回転に連動する回転部材で押圧部材９を構成してもよい。
【００５９】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。
【産業上の利用可能性】
【００６０】
本発明は、撮像素子を用いて画像を取得する機能を有する電子機器、例えば銀塩フィルムを用いるカメラ、デジタルカメラ等のシャッタ装置を有する機器に対しても同様に適用できる。
【符号の説明】
【００６１】
１・・・シャッタ機構
２・・・地板開口
３・・・先幕（先羽根）
３ａ・・・先幕第１駆動腕
３ｂ・・・揺動軸
３ｃ・・・揺動軸
３ｄ・・・先幕アーマチャ
３ｅ・・・先幕第２駆動腕
３ｆ・・・揺動軸
３ｇ・・・揺動軸
３ｈ・・・先幕被駆動片部
４・・・後幕（後羽根）
４ａ・・・後幕第１駆動腕
４ｂ・・・揺動軸
４ｃ・・・揺動軸
４ｄ・・・後幕アーマチャ
４ｅ・・・後幕第２駆動腕
４ｆ・・・揺動軸
４ｇ・・・揺動軸
４ｈ・・・後幕被駆動片部
５・・・先幕電磁石
５ａ・・・ヨーク
５ｂ・・・コイル（先幕電磁石コイル）
５ｂｂ・・・コイルドライバ
６・・・後幕電磁石
６ａ・・・ヨーク
６ｂ・・・コイル（後幕電磁石コイル）
６ｂｂ・・・コイルドライバ
７・・・先幕走行用ばね（先幕ばね）
８・・・後幕走行用ばね（後幕ばね）
９・・・押圧部材（チャージ部材）
９ａ・・・先幕チャージ用押圧部
９ｂ・・・後幕チャージ用押圧部
９ｃ・・・ガイド溝
１０・・・ガイドピン
１１・・・カム当接用ばね
１２・・・カム部材
１２ａ・・・カム面
１２ｂ・・・カム回転軸
２０・・・電気回路
２１・・・ＡＳＩＣ
２２・・・電源スイッチ
２３・・・レリーズスイッチ
２４・・・チャージモータ
２４ａ・・・モータドライバ
２５・・・カム位置エンコーダ
２６・・・撮像素子
２６ａ・・・撮像部
【図１】
2014048351.tif 000003
【図２】
2014048351.tif 000004
【図３】
2014048351.tif 000005
【図４】
2014048351.tif 000006
【図５】
2014048351.tif 000007
【図６】
2014048351.tif 000008
【図７】
2014048351.tif 000009
【図８】
2014048351.tif 000010